(57)【要約】【課題】ログ材40の小口41側からログ材40同士の間隙に浸入してしまった雨水を、ログ壁30の外部へ排出する。【解決手段】複数のログ材40を交互に交差させながら積み重ねて構築されたログ壁30を備えたログハウスであって、ログ壁30における、各ログ材40の小口41側端部からログ材40同士の交差部までの間の所定位置に、多段に積み重ねられているうちのいずれかのログ材40の上面から最下段のログ材40の下面まで貫通しており、かつ、重なり合うログ材40同士の間隙に浸入した水が下方へ抜けるように形成されている、排水孔70を設ける。【選択図】図１
2011132693.tif 000002
【特許請求の範囲】
【請求項１】
複数のログ材を交互に交差させながら積み重ねることにより構築されたログ壁を備えたログハウスであって、
ログ壁における、各ログ材の小口側端部からログ材同士の交差部までの間の所定位置には、多段に積み重ねられているうちのいずれかのログ材の上面から最下段のログ材の下面まで貫通しており、かつ、重なり合うログ材同士の間隙に浸入した水が下方へ抜けるように形成されている、排水孔が設けられていることを特徴とするログハウス。
【請求項２】
各ログ材の上面には、一方の小口側端部から他方の小口側端部まで至る、２本の凸条が設けられ、
各ログ材の下面には、一方の小口側端部から他方の小口側端部まで至り、かつ、前記２本の凸条とそれぞれ嵌合可能に形成されている、２本の凹条が設けられ、
排水孔は、２本の凸条の間に設けられ、
排水孔の直径は、２本の凸条の間隔とほぼ等しいことを特徴とする請求項１記載のログハウス。
【請求項３】
各ログ材の小口側端部近傍を除き、一のログ材の上面の各凸条と、その上に積み重ねられたログ材の下面の各凹条との間には、それぞれ防水部材が介装され、
防水部材が介装される部分とされない部分との境界を、防水境界とし、
排水孔は、防水境界よりもログ材同士の交差部側の位置に設けられていることを特徴とする請求項２記載のログハウス。
【発明の詳細な説明】
【技術分野】
【０００１】
本発明は、ログハウスに関し、更に詳しくは、ログ材の小口側からログ材同士の間隙に浸入した水がログ壁の外部へ排出されるようにしたログハウスに関する。
【背景技術】
【０００２】
ログハウスでは、丸太組構法で、すなわち、丸太、製材その他これに類する木材（以下「ログ材」という）を水平に積み上げることで、ログ壁が構築される。
このように、ログハウスでは、ログ材を積み上げることでログ壁が構築されるため、ログ材同士の間隙に雨水が浸入し、これが更に室内側にまで浸入してくることがある。
そして、かかる課題を解決すべく、例えば、一のログ材の上面に設けた凸条と、その上に積み重ねられるログ材の下面に設けた、前記凸条と嵌合する凹条との間に、防水部材を設けることにより、ログ材同士の間隙を介して、室外側から室内側へ雨水が浸入するのを防止するようにしたログハウスが提供されている（特許文献１参照）。
【０００３】
また、例えば、ログ材同士の交差部からログ材の小口側端部までの寸法が、上段のものほど長くなるように、ログ壁を構成する各ログ材を形成して、ノッチエンド部を逆階段状にし、各ログ材の小口面に付着した雨水が、それよりも下段のログ材の小口面に伝わることなく、下方へ落下するようにして、ログ材の小口側からログ材同士の間隙に雨水が浸入しないようにしたログハウスが提供されている（特許文献２参照）。
【先行技術文献】
【特許文献】
【０００４】
【特許文献１】特開平０９−２０９４７８号公報
【特許文献２】特開２００９−０３０２８９号公報
【発明の概要】
【発明が解決しようとする課題】
【０００５】
しかし、ログ材同士の間隙に雨水が浸入するのを防止するのみならず、ログ材同士の間隙に浸入してしまった雨水をログ壁の外部へ排出することも必要である。
そこで、本発明は、ログ材の小口側からログ材同士の間隙に浸入してしまった雨水をログ壁の外部へ排出するようにしたログハウスを提供することを目的とする。
【課題を解決するための手段】
【０００６】
（請求項１）
請求項１記載の発明は、複数のログ材40を交互に交差させながら積み重ねることにより構築されたログ壁30を備えたログハウスであって、ログ壁30における、各ログ材40の小口41側端部からログ材40同士の交差部までの間の所定位置には、多段に積み重ねられているうちのいずれかのログ材40の上面から最下段のログ材40の下面まで貫通しており、かつ、重なり合うログ材40同士の間隙に浸入した水が下方へ抜けるように形成されている、排水孔70が設けられていることを特徴とする。
ここで、「多段に積み重ねられているうちのいずれかのログ材40」とは、「最上段から最下段までのうちのいずれかのログ材40」を意味するものである。
【０００７】
例えば、最上段のログ材40の上面から最下段のログ材40の下面まで、排水孔70を貫通させることができる。
また、例えば、屋根の形状等により、最上段のログ材40と上から２段目のログ材40には雨水がかからず、上から３段目以下のログ材40に雨水がかかるとする。このような場合には、上から３段目のログ材40の上面から最下段のログ材40の下面まで、排水孔70を貫通させることができる。
（請求項２）
請求項２記載の発明は、請求項１記載の発明を限定したものであって、各ログ材40の上面には、一方の小口41側端部から他方の小口41側端部まで至る、２本の凸条44が設けられ、各ログ材40の下面には、一方の小口41側端部から他方の小口41側端部まで至り、かつ、前記２本の凸条44とそれぞれ嵌合可能に形成されている、２本の凹条45が設けられ、排水孔70は、２本の凸条44の間に設けられ、排水孔70の直径は、２本の凸条44の間隔とほぼ等しいことを特徴とする。
【０００８】
（請求項３）
請求項３記載の発明は、請求項２記載の発明を限定したものであって、各ログ材40の小口41側端部近傍を除き、一のログ材40の上面の各凸条44と、その上に積み重ねられたログ材40の下面の各凹条45との間には、それぞれ防水部材50が介装され、防水部材50が介装される部分とされない部分との境界を、防水境界60とし、排水孔70は、防水境界60よりもログ材40同士の交差部側の位置に設けられていることを特徴とする。
【発明の効果】
【０００９】
（請求項１）
請求項１記載の発明によれば、ログ壁における、各ログ材の小口側端部からログ材同士の交差部までの間の所定位置に、多段に積み重ねられているうちのいずれかのログ材の上面から最下段のログ材の下面まで貫通する排水孔を設けたことから、ログ材の小口側からログ材同士の間隙に浸入してしまった雨水をログ壁の外部へ排出できるログハウスを提供できる。
（請求項２）
請求項２記載の発明によれば、請求項１記載の発明の効果に加えて、ログ材上面の２本の凸条の間に、２本の凸条の間隔とほぼ等しい直径の排水孔を設けたことから、ログ材の小口側からログ材同士の間隙に浸入してしまった雨水をログ壁の外部へほぼ確実に排出できるログハウスを提供できる。
【００１０】
（請求項３）
請求項３記載の発明によれば、請求項２記載の発明の効果に加えて、各ログ材の小口側端部近傍を除き、一のログ材の上面に設けた凸条と、その上に積み重ねられたログ材の下面に設けた、前記凸条と嵌合する凹条との間に、防水部材を介装したことから、各ログ材の小口側から防水部材が見えないので、ログ壁の見栄えを良くすることができ、その上、防水部材が介装される部分とされない部分との境界である防水境界よりもログ材同士の交差部側の位置に、排水孔を設けたことから、防水部材が介装されない部分を設けたことによりログ材同士の間隙に浸入してしまった雨水をも、ログ壁の外部へほぼ確実に排出できるログハウスを提供できる。
【図面の簡単な説明】
【００１１】
【図１】本発明の実施の形態に係るログハウスの正面図
【図２】本発明の実施の形態に係るログハウスのログ壁の分解斜視図
【発明を実施するための形態】
【００１２】
本発明の実施の形態を、図１〜図２に基づいて説明する。
（ログハウス）
図１〜図２に示すように、本実施の形態に係るログハウスは、地面に打設された基礎10と、基礎10の上に載置され基礎10に対してアンカーボルトで固定された土台20と、土台20の上に構築されたログ壁30とを備えている。
また、ログ壁30における、各ログ材40の小口41側端部からログ材40同士の交差部までの間の所定位置には、最上段のログ材40の上面から最下段のログ材40の下面まで貫通しており、かつ、重なり合うログ材40同士の間隙に浸入した水が下方へ抜けるように形成されている、排水孔70が設けられている。
【００１３】
また、各ログ材40の上面には、一方の小口41側端部から他方の小口41側端部まで至る、２本の凸条44が設けられている。また、各ログ材40の下面には、一方の小口41側端部から他方の小口41側端部まで至り、かつ、前記２本の凸条44とそれぞれ嵌合可能に形成されている、２本の凹条45が設けられている。そして、排水孔70は、２本の凸条44の間に設けられ、排水孔70の直径は、２本の凸条44の間隔とほぼ等しい。
また、各ログ材40の小口41側端部近傍を除き、一のログ材40の上面の各凸条44と、その上に積み重ねられたログ材40の下面の各凹条45との間には、それぞれ防水部材50が介装されている。またここで、防水部材50が介装される部分とされない部分との境界を、防水境界60とすると、排水孔70は、防水境界60よりもログ材40同士の交差部側の位置に設けられている。
【００１４】
以下更に、本実施の形態に係るログハウスの各部の構成について詳しく説明する。
（ログ壁30）
ログ壁30は、丸太組構法によって構築される外壁である。
また、丸太組構法とは、丸太、製材その他これに類する木材（以下「ログ材40」という）を水平に積み上げることにより壁を設ける工法をいう（ログハウス告示基準（国土交通省告示第四百十一号））。
また、本実施の形態では、ログ材40として、断面が四角形状のものを用いている。このような断面形状のログ材40は、Ｉ型ログなどと呼ばれる。
【００１５】
また、各ログ材40の小口41側端部から所定距離の位置には、上下左右から切り欠かれて形成された凹部であるノッチ部42が設けられている。このノッチ部42は、複数のログ材40を交互に交差させながら積み重ねたときに、他のログ材40との交差部となる。
また、各ログ材40における、小口41側端部からノッチ部42（他のログ材40との交差部）までの間の部分は、ノッチエンド部43などと呼ばれる。つまり、各ログ材40における、ノッチ部42よりも先端側の部分が、ノッチエンド部43である。
また、各ログ材40の上面には、一方の小口41側端部から他方の小口41側端部まで至る、２本の凸条44が設けられている。これら２本の凸条44は、細長い突起であって、所定間隔を空けて平行に形成されている。
【００１６】
また、各ログ材40の下面には、一方の小口41側端部から他方の小口41側端部まで至る、２本の凹条45が設けられている。これら２本の凹条45は、細長い溝であって、前記２本の凸条44の間隔と同じ間隔を空けて平行に形成されており、さらには、前記２本の凸条44とそれぞれ嵌合可能に形成されている。
そして、第１のログ材40の上に、第１のログ材40に対して交差させて、第２のログ材40を載せる。このとき、第１のログ材40のノッチ部42の上側と、第２のログ材40のノッチ部42の下側とが、互いに嵌り合うようにする。さらに、第２のログ材40の上に、第２のログ材40に対して交差させて、第３のログ材40を載せる。このとき、第２のログ材40のノッチ部42の上側と、第３のログ材40のノッチ部42の下側とが、互いに嵌り合うようにし、同時に、第１のログ材40の上に、第１のログ材40と平行に、第３のログ材40が積み重なるようにし、さらに、第１のログ材40の上面に設けた各凸条44と、第３のログ材40の下面に設けた各凹条45とが、それぞれ互いに嵌り合うようにする。さらに、第３のログ材40の上に、第３のログ材40に対して交差させて、第４のログ材40を載せる。このとき、第３のログ材40のノッチ部42の上側と、第４のログ材40のノッチ部42の下側とが、互いに嵌り合うようにし、同時に、第２のログ材40の上に、第２のログ材40と平行に、第４のログ材40が積み重なるようにし、さらに、第２のログ材40の上面に設けた各凸条44と、第４のログ材40の下面に設けた各凹条45とが、それぞれ互いに嵌り合うようにする。
【００１７】
このようにして、複数のログ材40を交互に交差させながら積み重ねることにより、ログ壁30が構築される。
そして、第１のログ材40のノッチ部42の上側と、第２のログ材40のノッチ部42の下側とが、互いに嵌り合い、また、第２のログ材40のノッチ部42の上側と、第３のログ材40のノッチ部42の下側とが、互いに嵌り合うが、このように、交差する２本のログ材40における、互いに嵌り合う部分が、「ログ材40同士の交差部」である。
また、第１のログ材40の上に、第１のログ材40と平行に、第３のログ材40が積み重なり、また、第２のログ材40の上に、第２のログ材40と平行に、第４のログ材40が積み重なるが、このように、上下に重なり合う、２本の平行なログ材40が、「重なり合うログ材40同士」である。
【００１８】
（防水部材50）
各ログ材40の小口41側端部近傍を除き、一のログ材40の上面の各凸条44と、その上に積み重ねられたログ材40の下面の各凹条45との間には、それぞれ防水部材50が介装されている。
ここで、防水部材50としては、テープ状のものを用いることができる。
そして、一のログ材40の上面の各凸条44の上に、この各凸条44に沿って防水部材50を貼り付け、その後に、その上に、他のログ材40を積み重ねる。そうすると、一のログ材40の上面の各凸条44と、その上に積み重ねられたログ材40の下面の各凹条45との間に、それぞれ防水部材50が介装されることとなる。
【００１９】
またここで、各凸条44の上に防水部材50を貼り付ける際には、小口41側端部の手前数センチメートルのところで、防水部材50を切る。このようにして、小口41側端部近傍には、防水部材50を介装しないようにする。
仮に小口41側端部に至るまで防水部材50を介装すると、ログ材40の小口41側から防水部材50の端部が見えてしまい、ログ壁30の見栄えが悪くなってしまうところ、小口41側端部の手前数センチメートルのところで防水部材50を切って、小口41側端部近傍には防水部材50を介装しないようにすると、ログ材40の小口41側から防水部材50が見えなくなり、ログ壁30の見栄えを良くすることができる。
【００２０】
そして、防水部材50が介装される部分と、防水部材50が介装されない部分との境界が、「防水境界60」である。
（排水孔70）
各ログ材40のノッチエンド部43には、上面から下面まで貫通する排水孔70が設けられている。
また、排水孔70は、防水境界60よりもログ材40同士の交差部側の位置に設けられている。つまり、排水孔70は、防水境界60よりもノッチ部42寄りの位置に設けられている。
また、排水孔70は、２本の凸条44の間に設けられ、さらに、排水孔70の直径は、２本の凸条44の間隔とほぼ等しくされている。
【００２１】
これにより、複数のログ材40を交互に交差させながら積み重ねてログ壁30を構築すると、ログ壁30における、各ログ材40の小口41側端部からログ材40同士の交差部までの間の所定位置に、最上段のログ材40の上面から最下段のログ材40の下面まで貫通し、かつ、重なり合うログ材40同士の間隙に浸入した水が下方へ抜ける、排水孔70が設けられることとなる。
なお、図１に示すように、本実施の形態では、ノッチエンド部43（各ログ材40における、小口41側端部からノッチ部42（他のログ材40との交差部）までの間の部分）は、基礎10や土台20よりも外側に突出している。このため、ノッチエンド部43の下方には、基礎10や土台20はない。これにより、排水孔70を伝って流下してきた雨水は、ログ壁30の外部へ速やかに排出されて、地面に落下するようになっている。
【００２２】
（作用・効果）
以上説明したように、本実施の形態では、ログ壁30における、各ログ材40の小口41側端部からログ材40同士の交差部までの間の所定位置に、最上段のログ材40の上面から最下段のログ材40の下面まで貫通する排水孔70を設けている。このため、ログ材40の小口41側からログ材40同士の間隙に浸入してしまった雨水を、この排水孔70を介して、ログ壁30の外部へ排出できる。
つまり、本実施の形態では、一のログ材40の上面の各凸条44と、その上に積み重ねられたログ材40の下面の各凹条45との間に、防水部材50を介装させているため、ログ壁30の室外側から室内側へ向けては、雨水が浸入しにくくなっているが、ログ材40の小口41側からログ材40同士の間隙へは、雨水が浸入し得るところ、上述した排水孔70を設けることにより、ログ材40の小口41側からログ材40同士の間隙に浸入してしまった雨水を、この排水孔70を介して下方へ落として、ログ壁30の外部へ排出できるのである。
【００２３】
また、本実施の形態では、ログ材40上面の２本の凸条44の間に、２本の凸条44の間隔とほぼ等しい直径の排水孔70を設けたことから、ログ材40の小口41側からログ材40同士の間隙に浸入してしまった雨水を、排水孔70よりもノッチ側へ伝わらせることなく、ログ壁30の外部へほぼ確実に排出できるのである。
さらに、本実施の形態では、各ログ材40の小口41側端部近傍を除き、一のログ材40の上面に設けた凸条44と、その上に積み重ねられたログ材40の下面に設けた、前記凸条44と嵌合する凹条45との間に、防水部材50を介装したことから、各ログ材40の小口41側から防水部材50が見えないので、ログ壁30の見栄えを良くすることができ、その上、防水部材50が介装される部分とされない部分との境界である防水境界60よりもログ材40同士の交差部側の位置に、排水孔70を設けたことから、防水部材50が介装されない部分を設けたことによりログ材40同士の間隙に浸入してしまった雨水をも、ログ壁30の外部へほぼ確実に排出できるのである。
【００２４】
なお、上記実施の形態では、排水孔70は、最上段のログ材40の上面から最下段のログ材40の下面まで貫通させたが、これに限られるものではない。
例えば、屋根の形状等により、最上段のログ材40と上から２段目のログ材40には雨水がかからず、上から３段目以下のログ材40に雨水がかかるとする。このような場合には、排水孔70は、上から３段目のログ材40の上面から最下段のログ材40の下面まで貫通させればよい。このようにしても、ログ材40の小口41側からログ材40同士の間隙に浸入してしまった雨水を、排水孔70を介してログ壁30の外部へ排出するのに十分である。
つまり、排水孔70は、多段に積み重ねられているうちのいずれかのログ材40の上面から最下段のログ材40の下面まで貫通させればよい。
【００２５】
また、排水孔70を「いずれのログ材40」の上面からにするかは、最上段から最下段までのログ材40の中から、雨水がかかるか否かにより、適宜選択することができる。
（他の実施の形態）
また、図示しないが、各ログ材40のノッチエンド部43の上面であって２本の凸条44の間に、排水孔70へ向けて高さが次第に低くなるように傾斜した面である、排水傾斜面を設けることができる。
そうすると、ログ材40の小口41側からログ材40同士の間隙に浸入してしまった雨水を、排水孔70へ誘導しやすくすることができ、ひいてはログ壁30の外部へ排出しやすくすることができるのである。
【００２６】
また、図示しないが、各ログ材40のノッチエンド部43の上面であって２本の凸条44の間に、排水孔70へ向けて高さが次第に低くなるように傾斜した溝である、排水傾斜溝を設けることができる。
そうすると、ログ材40の小口41側からログ材40同士の間隙に浸入してしまった雨水を、排水孔70へ誘導しやすくすることができ、ひいてはログ壁30の外部へ排出しやすくすることができるのである。
なお、排水傾斜面を設けることなく、排水傾斜溝を設けてもよく、また、排水傾斜面を設けた上で、排水傾斜溝を設けてもよい。
【符号の説明】
【００２７】
10  基礎                             20  土台
30  ログ壁                           40  ログ材
41  小口                             42  ノッチ部
43  ノッチエンド部                   44  凸条
45  凹条                             50  防水部材
60  防水境界                         70  排水孔
【図１】
2011132693.tif 000003
【図２】
2011132693.tif 000004